(57)【要約】【課題】前身頃の両端部と後身頃の両端部とがずれにくくしたテープが型使い捨ておむつを提供することを目的とする。【解決手段】前身頃１０Ｆと、後身頃１０Ｒと、前身頃１０Ｆと後身頃１０Ｒとを繋ぐ股下部１０Ｃとを備え、前身頃１０Ｆおよび後身頃１０Ｒが胴周り部１０Ｗを構成するように止着テープ１２によって結合される。前身頃１０Ｆはフロントパッチ１８を備え、後身頃１０Ｒは止着テープ１２を備える。前身頃１０Ｆはフロントパッチ１８以外の領域に第１接着部２４を備え、後身頃１０Ｒは、前身頃１０Ｆおよび後身頃１０Ｒが結合された状態において、第１接着部２４と対向する第２接着部２７を備える。止着テープ１２とフロントパッチ１８との接着力を第１接着力とし、第１接着部２４と第２接着部２７との接着力を第２接着力としたとき、第２接着力は、第１接着力と同じ、もしくは、第１接着力よりも弱い。【選択図】図１
2019213687.tif 000002
【特許請求の範囲】
【請求項１】
前身頃と、後身頃と、前記前身頃と前記後身頃とを繋ぐ股下部とを備え、前記前身頃および前記後身頃が胴周り部を構成するように止着テープによって結合されるテープ型使い捨ておむつにおいて、
前記前身頃および前記後身頃のうちの一方の第１身頃における肌とは反対側の外面であって前記胴周り部を構成する部分に設けられ、前記止着テープが止着される止着部と、
前記前身頃および前記後身頃のうちの他方の第２身頃における胴周り方向となる横方向の両端部から前記横方向に延出し、前記止着部に止着される前記止着テープと、
前記前身頃および前記後身頃が前記胴周り部を構成するように結合された状態において、前記第１身頃の両端部を含む前記外面のうちの前記止着部以外の第１領域、および、前記第２身頃の両端部を含む前記第１身頃の前記外面と対向する面のうちで前記第１領域と対向する領域を含む第２領域のうちの少なくとも一方の領域に配置されて、他方の領域を接着する接着部と
を備えるテープ型使い捨ておむつ。
【請求項２】
前記接着部は、前記第１領域および前記第２領域に配置されている
請求項１に記載のテープ型使い捨ておむつ。
【請求項３】
前記止着テープと前記止着部との接着力を第１接着力とし、前記接着部と前記他方の領域との前記接着力を第２接着力としたとき、前記第２接着力は、前記第１接着力と同じ、もしくは、前記第１接着力よりも弱い
請求項１または２に記載のテープ型使い捨ておむつ。
【請求項４】
前記第１領域は、前記胴周り部を構成する前記横方向の縁部に沿う位置であって、前記両端部における前記横方向の先端から前記縁部と前記止着部との間の位置まで延びる領域であり、
前記第２領域は、前記第１領域と対向する領域であり、
前記第１領域および前記第２領域のうちの少なくとも一方の領域に前記接着部を備える
請求項１ないし３のうち何れか１項に記載のテープ型使い捨ておむつ。
【請求項５】
前記第１領域は、前記両端部における前記横方向の先端から前記止着部の前記横方向の各端部との間の領域であり、
前記第２領域は、前記第１領域と対向する領域であり、
前記第１領域および前記第２領域のうちの少なくとも一方の領域に前記接着部を備える
請求項１ないし３のうち何れか１項に記載のテープ型使い捨ておむつ。
【発明の詳細な説明】
【技術分野】
【０００１】
本発明は、テープ型使い捨ておむつに関する。
【背景技術】
【０００２】
吸収性物品としてのテープ型使い捨ておむつは、前身頃と、後身頃と、前身頃と後身頃とを繋ぐ股下部とを備え、前身頃および後身頃が胴周り部を構成するように止着テープによって結合される。止着テープは、後身頃の胴周り方向となる横方向における両端部に配置されている。そして、着用者に着用されるとき、前身頃の外面に配置されている止着部となるフロントパッチに止着される（特許文献１参照）。多くのテープ型おむつは、後身頃の各端部に１つずつ止着テープが配置されている。
【先行技術文献】
【特許文献】
【０００３】
【特許文献１】特開２００３−１６４４８５号公報
【発明の概要】
【発明が解決しようとする課題】
【０００４】
このようにテープ型使い捨ておむつは、横方向における各端部が１つの止着テープで結合されているだけであるため、着用しているうちに前身頃の両端部と後身頃の両端部とがずれてしまうおそれがある。前身頃の両端部と後身頃の両端部とがずれてしまった場合には、テープ型使い捨ておむつと着用者の着用部分との間に隙間などが生じ、排泄物の漏れの原因ともなる。
【０００５】
本発明は、前身頃と後身頃とをずれにくくしたテープ型使い捨ておむつを提供することを目的とする。
【課題を解決するための手段】
【０００６】
上記課題を解決するためのテープ型使い捨ておむつは、前身頃と、後身頃と、前記前身頃と前記後身頃とを繋ぐ股下部とを備え、前記前身頃および前記後身頃が胴周り部を構成するように止着テープによって結合されるテープ型使い捨ておむつにおいて、前記前身頃および前記後身頃のうちの一方の第１身頃における肌とは反対側の外面であって前記胴周り部を構成する部分に設けられ、前記止着テープが止着される止着部と、前記前身頃および前記後身頃のうちの他方の第２身頃における胴周り方向となる横方向の両端部から前記横方向に延出し、前記止着部に止着される前記止着テープと、前記前身頃および前記後身頃が前記胴周り部を構成するように結合された状態において、前記第１身頃の両端部を含む前記外面のうちの前記止着部以外の第１領域、および、前記第２身頃の両端部を含む前記第１身頃の前記外面と対向する面のうちで前記第１領域と対向する領域を含む第２領域のうちの少なくとも一方の領域に配置されて、他方の領域を接着する接着部とを備える。
【０００７】
上記構成によれば、止着テープおよび接着部によって、前身頃および前記後身頃を胴周り部を構成するように結合することができる。したがって、後身頃と前身頃との相対位置がずれにくくなり、胴周り開口部や脚周り開口部から排泄物などを漏れにくくすることができる。
【０００８】
上記テープ型使い捨ておむつにおいて、前記接着部は、前記第１領域および前記第２領域に配置されているようにしてもよい。上記構成によれば、接着部が第１領域と第２領域の両方に設けられることから、より確実に前身頃の両端部と後身頃の両端部とが接着されることになり、後身頃と前身頃との相対位置がよりずれにくくなる。
【０００９】
上記テープ型使い捨ておむつにおいて、前記止着テープと前記止着部との接着力を第１接着力とし、前記接着部と前記他方の領域との前記接着力を第２接着力としたとき、前記第２接着力は、前記第１接着力と同じ、もしくは、前記第１接着力よりも弱いようにしてもよい。上記構成によれば、止着テープによる本止めに先立てって、接着部によって仮止めすることができる。
【００１０】
上記テープ型使い捨ておむつにおいて、前記第１領域は、前記胴周り部を構成する前記横方向の縁部に沿う位置であって、前記両端部における前記横方向の先端から前記縁部と前記止着部との間の位置まで延びる領域であり、前記第２領域は、前記第１領域と対向する領域であり、前記第１領域および前記第２領域のうちの少なくとも一方の領域に前記接着部を備えるようにしてもよい。上記構成によれば、接着部が胴周り開口部を構成する縁部に設けられていることで、胴周り開口部の位置で、前身頃の縁部と後身頃の縁部とをずれにくくすることができる。
【００１１】
上記テープ型使い捨ておむつにおいて、前記第１領域は、前記両端部における前記横方向の先端から前記止着部の前記横方向の各端部との間の領域であり、前記第２領域は、前記第１領域と対向する領域であり、前記第１領域および前記第２領域のうちの少なくとも一方の領域に前記接着部を備えるようにしてもよい。上記構成によれば、接着部の面積が大きく、接着力を高めることができる。したがって、前身頃と後身頃とをずれにくくすることができる。
【発明の効果】
【００１２】
本発明によれば、前身頃と後身頃とをずれにくくしたテープ型使い捨ておむつを提供することができる。
【図面の簡単な説明】
【００１３】
【図１】本発明を適用した第１実施形態のテープ型使い捨ておむつの斜視図。
【図２】本発明を適用した第１実施形態のテープ型使い捨ておむつの分解斜視図。
【図３】本発明を適用した第１実施形態のテープ型使い捨ておむつをカバーシートの側から見た平面図。
【図４】（ａ）は、前身頃のサイドフラップ部を折り畳む状態を示す要部斜視図、（ｂ）は、後身頃のサイドフラップ部を折り畳む状態を示す要部斜視図。
【図５】本発明を適用した第２実施形態のテープ型使い捨ておむつを示す斜視図。
【図６】本発明を適用した第２実施形態のテープ型使い捨ておむつをカバーシートの側から見た平面図。
【発明を実施するための形態】
【００１４】
図１ないし図６を参照して本発明を具体化した一実施形態におけるテープ型使い捨ておむつについて説明する。
〔第１実施形態〕
図１に示すように、テープ型使い捨ておむつ１０（以下、単に「おむつ１０」という。）は、一例として、乳幼児用おむつである。おむつ１０は、人体の腹部形状に追従する形状を有する第１身頃としての前身頃１０Ｆと、人体の背部形状に追従する形状を有する第２身頃としての後身頃１０Ｒと、前身頃１０Ｆおよび後身頃１０Ｒを繋ぐ股下部１０Ｃとを備えている。
【００１５】
前身頃１０Ｆにおいて股下部１０Ｃと反対側は、人体の胴周りの部分を取り囲む胴周り部１０Ｗを構成し、上端に、胴周り開口部１０Ａを備えている。また、前身頃１０Ｆにおける横方向両端部、後身頃１０Ｒにおける横方向両端部、および、股下部１０Ｃにおける横方向両端部とは、人体の太股部分を取り囲む形状を有した左右一対の脚周り開口部１０Ｌを構成している。前身頃１０Ｆおよび後身頃１０Ｒの腹側胴周りを囲む部分は、胴周り部１０Ｗを構成する部分であり、当該部分の胴周り方向となる横方向の両端部は、サイドフラップ部１１となっている。後身頃１０Ｒのサイドフラップ部１１には、後身頃１０Ｒと前身頃１０Ｆを連結する止着テープ１２を備えている。サイドフラップ部１１は、胴周り寸法や脚周り寸法の標準的大きさの着用者だけでなく、胴周り寸法が標準より大きい着用者、および、胴周り寸法が標準より小さい着用者、ならびに、脚周り寸法が標準より大きい着用者、および、脚周り寸法が標準より小さい着用者にも対応できるようにするための調整代となる。
【００１６】
図２は、テープ型使い捨ておむつの展開状態を示す分解斜視図である。おむつ１０には、帯状の吸収性本体１３が前身頃１０Ｆ、股下部１０Ｃ、および、後身頃１０Ｒに跨るように設けられている。吸収性本体１３は、液不透過性を有したバックシート１４と、吸収体１５と、液透過性を有したトップシート１６とを備えている。おむつ１０において、トップシート１６は、着用者の皮膚と接する内側に配置され、バックシート１４は、外側に配置され、外側から、バックシート１４、吸収体１５、トップシート１６の順に重なっている。さらに、バックシート１４の外側には、手触り感を向上させるために、不織布で構成されたカバーシート１７が配置されている。後身頃１０Ｒにおいて、カバーシート１７には、胴周りに対して適度な着用感を付与するための弾性シート２０が配置されている。
【００１７】
吸収体１５を形成する材料は、例えば、フラッフパルプ、高吸収性ポリマー（ＳＡＰ：Superabsorbent polymer）、親水性シートなどの吸収性材料である。そして、吸収体１５は、一例として、親水性シートで構成されるコアラップによって包まれ、バックシート１４とトップシート１６との間に配置される。吸収体１５の股下部１０Ｃに相当する部分には、両側に脚部の逃げとなる切欠部１５Ａが設けられている。したがって、吸収体１５は、股下部１０Ｃに相当する部分が最も幅狭となっている。
【００１８】
バックシート１４は、吸収体１５よりも若干大きく形成されている。バックシート１４は、例えば、液不透過性を有したポリエチレン樹脂製のフィルムで形成されている。また、バックシート１４は、通気性を確保するため、微細孔が多数形成されている。
【００１９】
トップシート１６は、肌と接するシートであり、肌に対して低刺激性の材料で形成されている。例えば、トップシート１６は、織布、不織布、多孔性フィルムなどで形成されている。また、トップシート１６には、例えば、ポリプロピレン、ポリエチレン、ポリエステル、ナイロンのような熱可塑性樹脂の繊維であって親水化処理が施された繊維から構成される不織布が用いられることが好ましい。また、カバーシート１７やサイドシート１９にあっても、例えばトップシート１６と同様な材料で形成されている。
【００２０】
吸収性本体１３には、前後方向に沿う両端部に立体ギャザーが配置されている。立体ギャザーは、トップシート１６の前後方向に沿う両端部に配置されたサイドシート１９と、サイドシート１９にその縦方向に沿って配置された弾性部材１９Ａとを備えている。サイドシート１９は、例えば、ポリプロピレン、ポリエチレン、ポリエステル、ナイロンのような熱可塑性樹脂の繊維から構成される不織布であって、疎水性シートである。弾性部材１９Ａは、天然ゴム、合成ゴム、ウレタンなどから選ばれる１つ以上の材料により形成された弾性体であり、糸状または紐状に形成されている。立体ギャザーは、弾性部材１９Ａが収縮した際に、サイドシート１９が着用者の皮膚当接方向に向かって立ち上がり、脚周り開口部１０Ｌの周囲に位置する。
【００２１】
サイドフラップ部１１は、胴周り部分に位置するカバーシート１７とサイドシート１９とが重ね合わされることにより構成されている。また、サイドフラップ部１１には、バックシート１４の一部、トップシート１６の一部、および、吸収体１５の横方向における両端部の一部も含まれている。なお、左右一対の脚周り開口部１０Ｌを構成する部分にも、弾性部材１９Ｂが配置され、レグギャザーが構成されている。弾性部材１９Ｂも、弾性部材１９Ａと同様に、糸状または紐状に形成されている。弾性部材１９Ｂは、縦方向に沿って配置されており、カバーシート１７とサイドシート１９によって挟まれている。そして、レグギャザーは、弾性部材１９Ｂが収縮することで、弾性部材１９Ｂを挟み込んでいるシートが脚周り開口部１０Ｌの周囲において皮膚当接方向に向かって立ち上がる。
【００２２】
カバーシート１７は、例えば、ポリプロピレン、ポリエチレン、ポリエステル、ナイロンのような熱可塑性樹脂の繊維から構成される不織布などであり、疎水シート又は疎水シートに親水化処理が施されたシートである。カバーシート１７の前身頃１０Ｆの肌とは反対側となる外面であって、胴周り部１０Ｗを構成する部分には、止着テープ１２が止着される止着部としてのフロントパッチ１８が設けられている。フロントパッチ１８は、止着テープ１２のフック部１２Ｃを繰り返し止着しても、カバーシート１７などと比べて毛羽立ちにくく形成されている。このようなフロントパッチ１８の横方向の長さは、バックシート１４の横方向の長さと同程度である（図３参照）。なお、フロントパッチ１８の横方向の長さは、バックシート１４の横方向の長さより長くてもよいし、短くてもよい。
【００２３】
図３に示すように、後身頃１０Ｒにおける左右両端部に位置するサイドフラップ部１１は、その横方向の端部に縦方向に直線状に延びる先端１１Ａを備えている。各先端１１Ａからは、外側に延出する止着テープ１２が配設されている。止着テープ１２は、基端部に構成される固定部１２Ａと、固定部１２Ａに連続して設けられる延出部１２Ｂと、延出部１２Ｂに設けられるフック部１２Ｃとを備えている。
【００２４】
固定部１２Ａは、ホットメルト接着剤などの接着手段によって、サイドフラップ部１１を構成するカバーシート１７の内面とサイドシート１９の内面とに挟持された状態で固定される。延出部１２Ｂは、先端１１Ａより横方向に延出した部分である。延出部１２Ｂは、縦方向に直線状に延びる先端１１Ａの中程から延出している。フック部１２Ｃは、延出部１２Ｂに設けられている。フック部１２Ｃの一方の面は、多数のフックが設けられたフック面である。なお、フック面には、長さ方向における先端部に、フックが設けられていない非フック領域が設けられている。フック部１２Ｃは、フロントパッチ１８に止着される。
【００２５】
以上のように構成された止着テープ１２は、先端１１Ａから延出した延出部１２Ｂとフック部１２Ｃの部分が横方向における中央を通り縦方向に延びる縦方向中央線２２の方向に向かって、サイドシート１９上に折り畳まれる（図３二点鎖線の状態参照）。
【００２６】
ところで、前身頃１０Ｆのサイドフラップ部１１は、カバーシート１７上の外面において、フロントパッチ１８以外の第１領域に第１接着部２４を備えている。第１領域は、フロントパッチ１８以外の前縁部２５に沿う領域であり、サイドフラップ部１１の先端１１Ａから前縁部２５とフロントパッチ１８との間の位置まで延びる領域である。このような第１領域には、第１接着部２４が設けられる。第１接着部２４は、前縁部２５に沿うように直線状に設けられ、横方向におけるフロントパッチ１８の端部の内側まで延びている。さらに好ましくは、バックシート１４の縦方向の縁部の内側の位置まで延びている（図３参照）。そして、第１接着部２４は、剥離可能で、かつ、再貼付可能な接着剤を塗布することによって構成されている。なお、第１接着部２４の長さは、バックシート１４の縦方向の縁部と同程度であってもよいし、バックシート１４の縦方向の縁部の外側に位置していてもよい。
【００２７】
これに対して、後身頃１０Ｒのサイドフラップ部１１は、前身頃１０Ｆおよび後身頃１０Ｒを胴周り部１０Ｗを構成するように結合した状態において、前身頃１０Ｆのフロントパッチ１８と重ならない領域を含む第２領域に第２接着部２７を備えている。第２領域は、サイドシート１９上の面であって、かつ、胴周り開口部１０Ａを構成する後縁部２８に沿う領域である。そして、第２領域は、前身頃１０Ｆおよび後身頃１０Ｒを胴周り部１０Ｗを構成するように結合した状態において、第１領域と対向する領域である。第２接着部２７は、後縁部２８と固定部１２Ａとの間において、後縁部２８に沿って、先端１１Ａから直線状にバックシート１４の縦方向の縁部の内側まで延びている。そして、第２接着部２７も、剥離可能で、かつ、再貼付可能な接着剤をサイドシート１９に対して塗布することによって構成されている。なお、第２接着部２７の長さは、前身頃１０Ｆと後身頃１０Ｒとを結合するときに、第１接着部２４と重なる領域を確保できるのであれば、同じであってもよいし、異なっていてもよい。また、第２接着部２７の長さは、バックシート１４の縦方向の縁部と同程度であってもよいし、バックシート１４の縦方向の縁部の外側に位置していてもよい。
【００２８】
図４（ａ）に示すように、前身頃１０Ｆのサイドフラップ部１１は、トップシート１６側の内面において、つづら折りによってＺ（Ｓ）字形状に折り畳まれる。すなわち、前身頃１０Ｆのサイドフラップ部１１は、先ず、根元側の第１折返線３１で縦方向中央線の方向に向かって折り返される。第１折返線３１の位置は、先端１１Ａから延びる第１接着部２４の終端の位置である。次いで、前身頃１０Ｆのサイドフラップ部１１は、第２折返線３２で横方向における外側に向かって折り返される。第２折返線３２の位置は、横方向に延びる第１接着部２４を同方向に二分する位置である。後身頃１０Ｒのサイドフラップ部１１が第２折返線３２で折り返されることによって、第１接着部２４も横方向における中央で２つ折りされ、接着面同士が突き合わされる。
【００２９】
図４（ｂ）に示すように、後身頃１０Ｒのサイドフラップ部１１は、トップシート１６側の内面に、第３折返線３３で縦方向中央線２２の方向に向かって折り返される。この際の第３折返線３３は、横方向に延びる第２接着部２７を同方向に二分する位置となる。後身頃１０Ｒのサイドフラップ部１１が第３折返線３３で折り返されることによって、第２接着部２７も横方向における中央で２つ折りされ、接着面同士が突き合わされる。
【００３０】
なお、第１接着部２４および第２接着部２７の接着力は、止着テープ１２のフロントパッチ１８に対する接着力と同じ、もしくは、弱くなるように設定されている。これにより、後身頃１０Ｒと前身頃１０Ｆとの結合作業が行いづらくなることを防ぐことができる。第１接着部２４および第２接着部２７は、止着テープ１２による後身頃１０Ｒと前身頃１０Ｆとの結合を補助する補助部として機能する。
【００３１】
以上のように構成されたおむつ１０の作用について説明する。
おむつ１０は、前身頃１０Ｆおよび後身頃１０Ｒのサイドフラップ部１１をトップシート１６側の内面に折り畳み、その後、縦方向の中央を通り横方向に延びる横方向中央線２９に沿って前身頃１０Ｆの内面と後身頃１０Ｒの内面とが向き合うように２つ折りされる。
【００３２】
おむつ１０を使用するときには、前身頃１０Ｆと後身頃１０Ｒとを開いた状態とされる。そして、着用者の臀部を持ち上げ、トップシート１６を上側にして、後身頃１０Ｒを臀部の下側に敷き、着用者の股下に股下部１０Ｃをあてがい、前身頃を着用者の腹部に位置させる。その後、前身頃１０Ｆおよび後身頃１０Ｒのサイドフラップ部１１が展開される。次いで、後身頃１０Ｒのサイドフラップ部１１は、前身頃１０Ｆのサイドフラップ部１１の上に重なるように位置される。そして、胴周り開口部１０Ａを構成するように、後身頃の後縁部２８と前身頃１０Ｆの前縁部２５とが揃えられる。この際、後身頃１０Ｒのサイドフラップ部１１の第２接着部２７は、前身頃１０Ｆのサイドフラップ部１１の第１接着部２４に接着され、仮止めされる。この仮止めに際しては、第１接着部２４も第２接着部２７も剥離可能で、かつ、再貼付可能な接着剤で構成されていることから、後身頃１０Ｒの後縁部２８と前身頃１０Ｆの前縁部２５との位置合わせを容易に何度もやり直すことができる。
【００３３】
この後、止着テープ１２も展開される。フック部１２Ｃのフック面は、前身頃１０Ｆのフロントパッチ１８に止着され、前身頃１０Ｆと後身頃１０Ｒとが結合される。おむつ１０は、以上のように着用者に着用されると、後身頃１０Ｒと前身頃１０Ｆとが第１接着部２４および第２接着部２７ならびに止着テープ１２によって結合されている。したがって、後身頃１０Ｒと前身頃１０Ｆとの相対位置がずれにくくなる。
【００３４】
以上、上記おむつ１０によれば以下に列挙する作用効果を得ることができる。
（１）前身頃１０Ｆと後身頃１０Ｒとが第１接着部２４および第２接着部２７ならびに止着テープ１２によって結合されている。したがって、前身頃１０Ｆと後身頃１０Ｒとの相対位置がずれにくくなり、胴周り開口部１０Ａや脚周り開口部１０Ｌから排泄物などを漏れにくくすることができる。
【００３５】
（２）止着テープ１２によって前身頃１０Ｆと後身頃１０Ｒとを結合する前に、第１接着部２４と第２接着部２７とを接着することで仮止めすることができる。したがって、止着テープ１２もフロントパッチ１８の所定位置に止め易くなる。
【００３６】
（３）前身頃１０Ｆのサイドフラップ部１１に第１接着部２４が設けられているとともに後身頃１０Ｒのサイドフラップ部１１に第２接着部２７が設けられていることで、接着力を高め、着用後においても、後身頃１０Ｒと前身頃１０Ｆとをずれにくくすることができる。
【００３７】
（４）第１接着部２４および第２接着部２７の接着力は、止着テープ１２のフロントパッチ１８に対する接着力と同じ、もしくは、弱くなるように設定されている。これにより、仮止め作業が行い易くなる。
【００３８】
（５）第１接着部２４および第２接着部２７は、胴周り開口部１０Ａを構成する前縁部２５および後縁部２８に設けられていることで、着用者におむつ１０を履かせているときも履かせた後であっても、胴周り開口部１０Ａの位置で、前身頃１０Ｆと後身頃１０Ｒとを相対位置をずれにくくすることができる。
【００３９】
〔第２実施形態〕
図５および図６に示すように、前身頃１０Ｆのサイドフラップ部１１は、カバーシート１７上におけるフロントパッチ１８以外の領域であって、先端１１Ａとフロントパッチ１８の横方向における端部との間の第１領域に第１接着部４１を備えている。第１接着部４１は、カバーシート１７上のこのような第１領域において、前縁部２５からフロントパッチ１８の股下部１０Ｃ側に横方向に延びる下縁を延長した位置若しくはその近傍まで設けられている。このような第１接着部４１は、矩形形状を有している。
【００４０】
これに対して、後身頃１０Ｒのサイドフラップ部１１は、前身頃１０Ｆおよび後身頃１０Ｒを胴周り部１０Ｗを構成するように結合した状態において、前身頃１０Ｆのフロントパッチ１８と重ならない領域を含み、第１領域と対向する領域を含む第２領域に第２接着部４２を備えている。このような第２領域に設けられる第２接着部４２は、略矩形形状を有しており、少なくとも一部が前身頃１０Ｆおよび後身頃１０Ｒを胴周り部１０Ｗを構成するように結合した状態において、第１接着部４１と対向する。
【００４１】
なお、このような第１接着部４１を有するサイドフラップ部１１は、図４（ａ）と同様、第１接着部４１を二分し接着面同士が接触するように折り畳まれる。また、第２接着部４２を有するサイドフラップ部１１は、図４（ｂ）と同様、第２接着部４２を二分し接着面同士が接触するように折り畳まれる。
【００４２】
以上のようなおむつにあっても、後身頃１０Ｒのサイドフラップ部１１は、前身頃１０Ｆのサイドフラップ部１１の上に重なるように位置される。そして、胴周り開口部１０Ａを構成するように、後身頃の後縁部２８と前身頃１０Ｆの前縁部２５とが揃えられる。この際、後身頃１０Ｒのサイドフラップ部１１の第２接着部４２は、前身頃１０Ｆのサイドフラップ部１１の第１接着部４１に接着され、仮止めされる。この後、止着テープ１２も展開される。フック部１２Ｃのフック面は、前身頃１０Ｆのフロントパッチ１８に止着され、前身頃１０Ｆと後身頃１０Ｒとが結合される。
【００４３】
以上のように着用者に着用されると、後身頃１０Ｒと前身頃１０Ｆとが第１接着部４１および第２接着部４２ならびに止着テープ１２によって結合されている。したがって、後身頃１０Ｒと前身頃１０Ｆとの相対位置がずれにくくなる。第２実施形態における第１接着部４１および第２接着部４２は、第１実施形態の第１接着部２４および第２接着部２７に比べて面積が大きく、接着力を高めることができる。したがって、前身頃１０Ｆのサイドフラップ部１１と後身頃１０Ｒのサイドフラップ部１１との位置がずれにくくなる。
【００４４】
なお、上記実施形態は以下のように適宜変更して実施することもできる。
・第２実施形態において、第１接着部４１および第２接着部４２の形状は、矩形形状に限定されるものではなく、円形や楕円形状でもよいし、三角形状や六角形状などの多角形状であってもよい。また、第１接着部４１および第２接着部４２は、接着剤をベタ塗りするのではなく、接着力をベタ塗りの場合より弱めるために、ドット状やストライプ状に塗布するようにしてもよい。第１接着部４１および第２接着部４２は、その大きさや形状やパターンを調整することで接着力を調整することができる。
【００４５】
・第１実施形態において、直線形状を有した第１接着部２４および第２接着部２７は、接着力を弱めるために、点線、一点鎖線、二点鎖線などの断続的な線形状であってもよいし、波線形状などであってもよい。
【００４６】
・第１接着部２４，４１および第２接着部２７，４２の第２接着力は、止着テープ１２のフロントパッチ１８に対する第１接着力より強くしてもよい。このようにすれば、一層、前身頃１０Ｆのサイドフラップ部１１と後身頃１０Ｒのサイドフラップ部１１との位置をずれにくくすることができる。このような場合において、第１接着部２４，４１および第２接着部２７，４２の面積を小さくして第２接着力を調整してもよい。
【００４７】
・第１実施形態および第２実施形態の何れの実施形態においても、第２接着部２７，４２を省略し、第１接着部２４，４１だけとしてもよい。また、第１接着部２４，４１を省略し、第２接着部２７，４２だけとしてもよい。接着部を何れか一方とすることで、接着力を弱めることができる。そして、この接着力を弱めた代わりに、接着部の面積を大きくしてもよい。
【００４８】
・第１接着部２４，４１は、フック部１２Ｃと同じ構成であってもよい。また、第２接着部２７，４２も、フック部１２Ｃと同じ構成であってもよい。
・止着テープ１２は、止着部として、フック部１２Ｃに代えて、剥離可能な接着部としてもよい。
【００４９】
・止着テープ１２は、前身頃１０Ｆのサイドフラップ部１１に設け、フロントパッチ１８に代わる止着部を後身頃１０Ｒに設けるようにしてもよい。
・おむつ１０としては、大人用おむつであってもよい。また、ペット用おむつであってもよい。
【符号の説明】
【００５０】
１０Ａ…胴周開口部、１０Ｃ…股下部、１０Ｆ…前身頃、１０Ｌ…脚周り開口部、１０Ｒ…後身頃、１０Ｗ…胴周り部、１１…サイドフラップ部、１１Ａ…先端、１２…止着テープ、１２Ａ…固定部、１２Ｂ…延出部、１２Ｃ…フック部、１３…吸収性本体、１４…バックシート、１５…吸収体、１５Ａ…切欠部、１６…トップシート、１７…カバーシート、１８…フロントパッチ、１９…サイドシート、１９Ａ…弾性部材、１９Ｂ…弾性部材、２０…弾性シート、２２…縦方向中央線、２４…第１接着部、２５…前縁部、２７…第２接着部、２８…後縁部、２９…横方向中央線、３１…第１折返線、３２…第２折返線、３３…第３折返線、４１…第１接着部、４２…第２接着部。
【図１】
2019213687.tif 000003
【図２】
2019213687.tif 000004
【図３】
2019213687.tif 000005
【図４】
2019213687.tif 000006
【図５】
2019213687.tif 000007
【図６】
2019213687.tif 000008